(57)【要約】【課題】  レンズ保持部材の端子突起へのフォーカスコイル及びトラッキングコイルの巻線作業の容易化と、光ディスク装置の小型化を図る。【解決手段】  記録トラックを有する光ディスクにレーザ光を集光するための対物レンズを保持するためのレンズ保持部材と、該レンズ保持部材を支持するための弾性支持部材とを有する光ピックアップを備えた光ディスク装置において、前記記録トラックの接線に直交する前記レンズ保持部材の端面の一方に、弾性支持部材を固定するための端子突起が設けられている光ディスク装置。【選択図】  図７
2007193860.tif 000002
【特許請求の範囲】
【請求項１】
レーザ光を出射する光源と、
記録トラックを有する光ディスクに前記レーザ光を集光するための対物レンズと、
前記対物レンズを保持するためのレンズ保持部材と、
前記記録トラックの接線に直交する前記レンズ保持部材の端面の一方に、前記弾性支持部材を固定するための端子突起が設けられていることを特徴とする光ディスク装置。
【請求項２】
前記記録トラックの接線に直交する前記レンズ保持部材の端面の一方に、前記弾性支持部材を固定するための端子突起が設けられていることを特徴とするアクチュエータ。
【請求項３】
前記レンズ保持部材と前記端子突起は、一体成形されていることを特徴とする請求項１記載の光ディスク装置。
【請求項４】
前記レンズ保持部材と前記端子突起は、一体成形されていることを特徴とする請求項２記載のアクチュエータ。
【発明の詳細な説明】
【技術分野】
【０００１】
本発明は、対物レンズを用いて光ディスクに対して情報信号の記録または再生を行う光ディスク装置に関するものである。
【背景技術】
【０００２】
図３は、従来の光ディスク装置における、アクチュエータ１１の構成を示す（ａ）斜視図と（ｂ）側面図である。
【０００３】
アクチュエータ１１は、固定部２６と可動部２５から成る。固定部２６は永久磁石２１ａ，２１ｂ、２１ｃ、ヨーク２４、および支持基台１７で構成される。可動部２５は対物レンズ２０、フォーカスコイル１９ａ、１９ｂ、トラッキングコイル１８およびこれらを保持するレンズ保持部材１５で構成される。
【０００４】
弾性支持部材１６ａ，１６ｂ，１６ｃ，１６ｄ，１６ｅ，１６ｆは線状で弾性および高導電性を有し、一端は支持基台１７に固定される。そして、他端は、可動部２５が光ディスク１に対してフォーカス方向、トラッキング方向およびラジアルチルト方向への変位が自在であるように保持されている。
【０００５】
これを詳述すると、フォーカスコイル１９ａ、１９ｂ、トラッキングコイル１８の各コイルの巻線端末２８が、レンズ保持部材１５の側面に設けられた端子突起２７に絡げられる。そして、弾性支持部材１６ａ，１６ｂ，１６ｃ，１６ｄ，１６ｅ，１６ｆは端子突起２７上でフォーカスコイル１９ａ、１９ｂ、トラッキングコイル１８にハンダ２２によって固定されるとともに電気的に接続されている。
【０００６】
ところで、特開２０００−５７６０３号公報で記載されているように、従来はレンズ保持部材１５に一体成型された端子突起２７は、レンズ保持部材１５のトラッキング方向の両側にそれぞれ複数配置されている。そして、各端子突起は、１８０°異なる方向に突出している。
【０００７】
これを図４に示す。図４は、特に光スポットが記録トラックの最外周に位置する際のアクチュエータの様子を表している。このように、アクチュエータ１１のレンズ保持部材１５に設けられた端子突起２７は、トラッキング方向において、相反する方向に突出しているのが分かる。
【０００８】
また、端子突起２７に巻線治具でコイル巻線２８を絡げる様子を示した側面図を図５に示す。各コイルの巻線２８は、巻線治具によって端子突起２７に周回させて巻きつけられる。また、図６に示すようにコイル巻線２８を絡げる際に、通常端子突起２７はトラッキング方向に突出しているため、絡げる作業はまず片側３つの端子突起２７のコイルを巻く。その後に、アクチュエータを１８０°回転させ、反対側の３つの端子突起２７にコイルを巻くという煩雑な作業が行われていた。
【特許文献１】特開２０００−５７６０３号公報
【発明の開示】
【発明が解決しようとする課題】
【０００９】
上記のように、端子突起はレンズ保持部材のトラッキング方向に突出している。
【００１０】
そのため、巻線治具での巻き線作業は、片面の線を巻く作業が終わったら、アクチュエータを１８０°回転させて、もう一方の面における線を巻く作業が行われていた。
【００１１】
このように巻き線作業にはアクチュエータを回転させるといった面倒な工程が必要となっていた。
【００１２】
更に、図４に示すように、アクチュエータ１１が光ディスクの最外周に位置する際に、端子突起２７がトラッキング方向に突出していることにより、ディスク外径からアクチュエータ１１が飛出してしまう。その結果、ディスクの投影面積内に光ピックアップの全体構成を収めることが困難になり、光ディスク装置の大型化を招いてしまう。このことは、特にディスクカムコーダのような小型化が求められているような装置の場合には問題となる。
【００１３】
よって、本発明は、上記課題に対して、コイルの巻き作業の容易化と、ディスク装置の小型化を図ることを目的とする。
【課題を解決するための手段】
【００１４】
上記課題を解決するために、以下を提供する。
【００１５】
レーザ光を出射する光源と、前記レーザ光を光ディスクに集光するための対物レンズと、前記対物レンズを保持するためのレンズ保持部材と、前記レンズ保持部材を可動させるためのフォーカスコイル及びトラッキングコイルとを有する光ピックアップを備えた光ディスク装置において、
前記記録トラックの接線方向に直交する前記レンズ保持部材の端面の一方に、前記弾性支持部材を固定するための端子突起が設けられている光ディスク装置。
【発明の効果】
【００１６】
本発明によれば、コイルの巻き線作業の容易化と、アクチュエータの小型化を図ることができる。
【発明を実施するための最良の形態】
【００１７】
以下、本発明による光ピックアップ装置に関して説明する。
【００１８】
図２は、光ピックアップ装置の概略構成を示す。ここで１は光ディスク、２は光ヘッド、３は光ディスク１を回転駆動するスピンドルモータである。光ヘッド２は、レーザ光源６、コリメータレンズ７、ビームスプリッタ８、集光レンズ９、受光素子１０、対物レンズ２０、および対物レンズ２０をフォーカス制御およびトラッキング制御するアクチュエータ１１より構成される。
【００１９】
光ディスク１の基板１２上には、可逆的に相状態が変化し得る相変化材料から成る情報信号記録層１３と、透明な樹脂材料から成るカバー層１４が構成されている。情報信号記録層１３には、らせん状または同心円状の記録トラックが形成されている。なお情報信号記録層１３は、光磁気記録材料、またはピット（凹凸）が形成された金属反射膜から構成されてもよい。また光ピックアップ２は、光ディスク１のカバー層１４に対向する側に配置される。
【００２０】
制御回路５は、上記フォーカスエラー信号とトラッキングエラー信号に基づく制御電流を、図１に示す弾性支持部材１６ａ，１６ｂ，１６ｃ，１６ｄ，１６ｅ，１６ｆを介してフォーカスコイル１９ａ、１９ｂとトラッキングコイル１８に供給する。アクチュエータ１１は、この制御電流と、永久磁石２１ａ，２１ｂ、２１ｃが発生する磁束との間で発生する電磁的な力によって、対物レンズ２０を駆動する。
【００２１】
その駆動する方向は、光ディスク１に対してフォーカス方向と、記録トラックの接線に直交するトラッキング方向と、記録トラックの接線方向（タンジェンシャル方向）を軸として対物レンズが回転するラジアルチルト方向である。
【００２２】
このようにして光スポットは、光ディスク１が面振れによりフォーカス方向に変位しても、これに追従して記録トラック上に正確に集光するようにフォーカス制御される。
【００２３】
また、光スポットは、記録トラックが偏芯によりトラッキング方向に変位しても、これに追従しながら走査するようにトラッキング制御され、さらにディスクチルト等による影響を補正するためにチルト制御される。
【００２４】
次に、光ピックアップ装置のアクチュエータ１１の詳細について、以下詳細に説明する。
【００２５】
図１は、本発明による端子配置で構成されたアクチュエータの（ａ）正面図、（ｂ）端子突起部の拡大図、（ｃ）側面図、（ｄ）上面図である。アクチュエータ１１の構成は、先述した図３における説明と同じなので省略する。
【００２６】
ここでは、図３とは異なるレンズ保持部材の端子突起について述べる。
【００２７】
図１に示されたレンズ保持部材に一体成形された端子突起２７は、全てタンジェンシャル方向（光ディスクの記録トラックの接線に平行な方向）に突出している。
【００２８】
そして、端子突起２７には、各コイルからの巻線２８が周回して絡げられており、その後に弾性支持部材１６ａ，１６ｂ，１６ｃ，１６ｄ、１６ｅ、１６ｆがハンダ２２付けされることで固定されると共に電気的に接続されている。
【００２９】
このため、図７に示すように各コイルの巻線２８を絡げる際に、従来のようにアクチュエータを１８０°回転させるといった工程が必要なく、従来よりも絡げる作業の効率化を図れる。
【００３０】
また、図１（ｄ）上面図に示すように端子突起２７をタンジェンシャル方向に突出させることで、レンズ保持部材１５のトラッキング方向の幅（図中Ａ）を短縮することができ、アクチュエータを小型化することが可能である。従って、光ディスク１の投影面積内に光ピックアップ装置の全体構成を収めることも可能となる。
【００３１】
上述した実施例において、レンズ保持部材のトラッキング方向の両側に配置された複数の端子突起２７は対称に配置されているが、本発明は対称であることに限定しない。
【００３２】
また、上述した実施例において、端子突起２７がタンジェンシャル方向においてレンズ保持部材１５の同一表面から突出しているが、これに限定されない。
【００３３】
すなわち、端子突起２７が設けられているレンズ保持部材表面に段差などがあり、同一表面ではない場合であってもよい。
【図面の簡単な説明】
【００３４】
【図１】本発明による光ピックアップ装置のアクチュエータの構成を示す図
【図２】光ピックアップ装置の概略構成を示す図
【図３】従来の光ピックアップ装置のアクチュエータの構成を示す図
【図４】光スポットが記録トラックの最外周に位置する際のアクチュエータを表す模式図
【図５】一般的な光ピックアップ装置のアクチュエータの端子突起にコイル巻線を絡げる際の側面図
【図６】従来の光ピックアップ装置のアクチュエータの端子突起にコイル巻線を絡げる際の巻線治具の配置を表す上面図と斜視図
【図７】本発明による光ピックアップ装置のアクチュエータの端子突起にコイル巻線を絡げる時の巻線治具の配置を表す上面図と斜視図
【符号の説明】
【００３５】
１  光ディスク
２  光ピックアップ
１１  アクチュエータ
１５  レンズ保持部材
１６ａ，１６ｂ，１６ｃ，１６ｄ，１６ｅ，１６ｆ  弾性支持部材
１７  支持基台
１８  トラッキングコイル
１９ａ，１９ｂ  フォーカスコイル
２０  対物レンズ
２１ａ，２１ｂ，２１ｃ  永久磁石
２２  ハンダ
２４  ヨーク
２５  可動部
２６  固定部
２７  端子突起
２８  コイル巻線
【図１】
2007193860.tif 000003
【図２】
2007193860.tif 000004
【図３】
2007193860.tif 000005
【図４】
2007193860.tif 000006
【図５】
2007193860.tif 000007
【図６】
2007193860.tif 000008
【図７】
2007193860.tif 000009